(57)【要約】【課題】カーテンに必要以上の荷重が生じた際、カーテンランナーまたは固定フックとカーテンフックを分離してカーテンを落下させることで初期段階における火災被害を最小限に軽減することができつつも、経済的で、作業の手間も少なくて済むカーテン用補助フックを提供する。【解決手段】カーテンレール１０に吊設されたカーテンランナー１１またはキャップストップに吊設された固定フックと、カーテン２０の上部に装着されるカーテンフック２１との間に介在するカーテン用補助フック１であって、カーテン２０に必要以上の荷重が生じた際、弾性変形してカーテンランナー１１または固定フックとカーテンフック２１とを分離させる。【選択図】図４
0003206469.tif 000002
【実用新案登録請求の範囲】
【請求項１】
カーテンレールに吊設されたカーテンランナーまたはキャップストップに吊設された固定フックと、カーテンの上部に装着されるカーテンフックとの間に介在するカーテン用補助フックであって、前記カーテンに必要以上の荷重が生じた際、弾性変形して前記カーテンランナーまたは前記固定フックと前記カーテンフックとを分離させることを特徴とするカーテン用補助フック。
【請求項２】
前記カーテンランナーまたは前記固定フックに吊下げられる第一フック部と、前記カーテンフックを吊下げる第二フック部とを備える請求項１記載のカーテン用補助フック。
【請求項３】
前記第一フック部のカーブの曲率半径が、前記第二フック部のカーブの曲率半径よりも小さく形成されており、前記第一フック部の先端部が、前記第二フック部の先端部よりも内側に配設されている請求項１または２に記載のカーテン用補助フック。
【請求項４】
Ｓ字状に形成されている請求項１ないし３のいずれか一項に記載のカーテン用補助フック。
【請求項５】
リング状に形成されている請求項１ないし３のいずれか一項に記載のカーテン用補助フック。
【請求項６】
他の部分の厚さよりも薄い部分を有する請求項１ないし５のいずれか一項に記載のカーテン用補助フック。
【請求項７】
前記第一フック部および前記第二フック部のいずれか一方の一部または全体の厚さが、他方の厚さよりも薄い請求項２ないし６のいずれか一項に記載のカーテン用補助フック。
【考案の詳細な説明】
【技術分野】
【０００１】
本考案は、カーテンランナーとカーテンフックとの間に介在するカーテン用補助フックに関し、特には、カーテンに必要以上の荷重が生じた際、カーテンランナーとカーテンフックとを分離させ、カーテンを落下させることができるカーテン用補助フックに関する。
【背景技術】
【０００２】
一般的なカーテンは、窓の室内側のカーテンレールに吊下げられ、レール内のランナーより開閉自在に装着されている。また、通常、カーテンランナーの下部に装着された金属製のリングにカーテンフックが挿着され、カーテンランナーからカーテンが容易に落下しないように吊下げられている。
【０００３】
また、カーテンに必要以上の荷重が生じた際、カーテンをレールから落下させることができるカーテン吊下具が提案されている（特許文献１参照）。特許文献１のカーテン吊下具は、カーテンをレールに吊下げる連結具（カーテンフック）を備え、連結具がレールに対する掛止部（フック部）を有するか、またはそれ自体で掛止部を形成し、カーテンに必要以上の荷重が生じた際、掛止部が変形してカーテンがレールから落下することを特徴としている。
【０００４】
特許文献１に記載されたカーテン吊下具は、通常のカーテン使用時においては何等問題を生じることはないが、カーテンに必要以上の荷重が生じた際、形状が変形してカーテンをレールから落下させることができるので、不慮の事故の防止や防火効果を実現することができる。
【先行技術文献】
【特許文献】
【０００５】
【特許文献１】実用新案登録第３１６１７３９号公報（実用新案登録請求の範囲等）
【考案の概要】
【考案が解決しようとする課題】
【０００６】
しかし一方で、特許文献１に記載されたカーテン吊下具は、既にカーテンに汎用のカーテンフックが使用されている場合は、そのカーテンフックと入れ替えなければならず、非経済的であるとともに、交換作業の手間も必要となった。
【０００７】
そこで本考案の目的は、上記問題を解消し得るカーテン用補助フックであって、カーテンに必要以上の荷重が生じた際、カーテンランナーまたは固定フックとカーテンフックを分離してカーテンを落下させることで初期段階における火災被害を最小限に軽減することができつつも、経済的で、作業の手間も少なくて済むカーテン用補助フックを提供することにある。
【課題を解決するための手段】
【０００８】
本考案のカーテン用補助フックは、カーテンレールに吊設されたカーテンランナーまたはキャップストップに吊設された固定フックと、カーテンの上部に装着されるカーテンフックとの間に介在するカーテン用補助フックであって、カーテンに必要以上の荷重が生じた際、弾性変形してカーテンランナーまたは固定フックとカーテンフックとを分離させることを特徴とする。
【０００９】
また、本考案のカーテン用補助フックは、カーテンランナーまたは固定フックに吊下げられる第一フック部と、カーテンフックを吊下げる第二フック部とを備えており、第一フック部のカーブの曲率半径が、第二フック部のカーブの曲率半径よりも小さく形成されており、第一フック部の先端部が、第二フック部の先端部よりも内側に配設されていることが好ましく、さらにまた、第一フック部および第二フック部のいずれか一方の一部または全体の厚さが、他方の厚さよりも薄いことが好ましい。
【００１０】
さらにまた、本考案のカーテン用補助フックは、Ｓ字状や、リング状に形成されていてもよく、他の部分の厚さよりも薄い部分を有することが好ましい。
【考案の効果】
【００１１】
本考案のカーテン用補助フックによれば、カーテンランナーまたは固定フックとカーテンフックとの間に、カーテンに必要以上の荷重が生じた際、弾性変形して、カーテンランナーまたは固定フックとカーテンフックとの間を分離させるカーテン用補助フックを介在させたことにより、火災が発生した際、カーテンを引き下げることにより、カーテンを容易に落下させることができる。そのため、初期段階における火災被害を最小限に軽減することが可能となる。
【００１２】
また、本考案のカーテン用補助フックは、カーテンランナーとカーテンフックとの間に介在させるものであり、カーテンランナーはもとより、既に使用されている汎用のカーテンフックもそのまま使用できるため経済的であるうえ、装着作業の手間も少ない。さらにまた、カーテン用補助フックは、弾性変形した後に再び元の形状に戻るため、繰り返しの使用も可能である。
【図面の簡単な説明】
【００１３】
【図１】本考案の一実施形態に係るカーテン用補助フックの正面図である。
【図２】第一フック部に薄状部を形成した、本考案の他の実施の形態に係るカーテン用補助フックの正面図である。
【図３】第二フック部に薄状部を形成した、本考案のさらに他の実施の形態に係るカーテン用補助フックの正面図である。
【図４】図３に示すカーテン用補助フックの使用例を示す正面図である。
【図５】図３に示すカーテン用補助フックのカーテンに荷重を掛けた状態を示す正面図である。
【図６】図３に示すカーテン用補助フックのカーテンにさらに荷重を掛けた状態を示す正面図である。
【図７】Ｓ字状に形成されたカーテン用補助フックの正面図である。
【図８】リング状に形成されたカーテン用補助フックの正面図である。
【図９】図３に示すカーテン用補助フックの使用例を示す正面図である。
【考案を実施するための形態】
【００１４】
以下、本考案におけるカーテン用補助フックの実施の形態を図面に基づいて説明する。
【００１５】
図１〜３に示すカーテン用補助フック１は、図４および９に示すように、カーテンレール１０に吊設されたカーテンランナー１１またはキャップストップ１３に吊設された固定フック７と、カーテン２０の上部に装着されるカーテンフック２１との間に介在するものである。
【００１６】
カーテン用補助フック１は、カーテンランナー１１または固定フック７のリング１２に吊下げられる第一フック部２と、カーテンフック２１のフック部２２を吊下げる第二フック部３とを備える。
【００１７】
カーテン用補助フック１は、カーテン２０に必要以上の荷重、例えば１０ｋｇ程度の荷重が生じた際、破損することなく弾性変形してカーテンランナー１１または固定フック７とカーテンフック２１とを分離させる素材で形成されている。この素材の具体例としては、スチール等の金属材料またはポリオレフィン樹脂、ポリエステル樹脂、ポリカーボネート樹脂、ポリアミド樹脂等の樹脂材料やエラストマー材料が挙げられる。
【００１８】
カーテン用補助フック１を上述の素材で形成することにより、火災が発生した際、炎が引火する前にカーテン２０をカーテンレール１０およびキャップストップ１３から容易に取り外すことができる。また、カーテン２０の裾に足を掛けて転倒するという事故も未然に防ぐことが可能となる。
【００１９】
また、カーテン用補助フック１においては、第一フック部２のカーブの曲率半径が、第二フック部３のカーブの曲率半径よりも小さく形成されており、第一フック部の先端部４が、第二フック部の先端部５よりも内側に配設されていることが好ましい。これにより、カーテン用補助フック１がリング１２とカーテンフック２１から抜け落ちることを抑制できる。
【００２０】
カーテン用補助フック１の第一フック部２には、図２に示すように、薄状部２ａを形成してもよい。第一フック部２の内周に薄状部２ａを形成することで、カーテン２０に必要以上の荷重が生じた際、第一フック部２が弾性変形してカーテンランナー１１のリング１２から第一フック部２を分離させることができる。この構造においては、カーテン用補助フック１は第一フック部２を優先的に弾性変形させることができる。
【００２１】
また、カーテン用補助フック１の第二フック部３には、図３に示すように、薄状部３ａを形成してもよい。第二フック部３の内周に薄状部３ａを設置することで、カーテン２０に必要以上の荷重が生じた際、第二フック部３が弾性変形してカーテンフック２１のフック部２２から分離させることができる。この構造においては、カーテン用補助フック１は第二フック部３を優先的に弾性変形させることができる。
【００２２】
また、本考案のカーテン用補助フック１は、図７の（ａ）に示すようにＳ字状に形成してもよい。カーテン用補助フック１をＳ字状に形成した場合でも、カーテン用補助フック１は、カーテンランナー１１または固定フック７のリング１２に吊り下げられる第一フック部２と、カーテンフック２１のフック部２２を吊り下げる第二フック部３とを備える。
【００２３】
また、同図（ｂ）に示すように、Ｓ字状のカーテン用補助フック１の第一フック部２の内周に薄状部２ａを形成してもよい。薄状部２ａを設置することで、カーテン２０に必要以上の荷重が生じた際、第一フック部２が弾性変形するため、カーテンランナー１１または固定フック７のリング１２から分離させることができる。
【００２４】
また、同図（ｃ）に示すように、Ｓ字状のカーテン用補助フック１の第二フック部３の内周に薄状部３ａを形成してもよい。薄状部３ａを設置することで、カーテン２０に必要以上の荷重が生じた際、第二フック部３が弾性変形してカーテンフック２１のフック部２２から分離させることができる。
【００２５】
さらにまた、本考案のカーテン用補助フック１は、図８の（ａ）に示すように、開口部６を備えるリング状に形成してもよい。カーテン用補助フック１をリング状に形成した場合でも、カーテン用補助フック１は、カーテンランナー１１または固定フック７のリング１２に吊り下げられる第一フック部２と、カーテンフック２１のフック部２２を吊り下げる第二フック部３とを備える。
【００２６】
また同図（ｂ）に示すように、リング状のカーテン用補助フック１の第一フック部２の内周に薄状部２ａを形成してもよい。薄状部２ａを設置することで、カーテン２０に必要以上の荷重が生じた際、第一フック部２が弾性変形してリング１２から分離させることができる。
【００２７】
また同図（ｃ）に示すように、リング状のカーテン用補助フック１の第二フック部３の内周に薄状部３ａを形成してもよい。薄状部３ａを設置することで、カーテン２０に必要以上の荷重が生じた際、第二フック部３が弾性変形してカーテンフック２１から分離させることができる。
【００２８】
なお、図２、３、４、７および８における薄状部２ａ、３ａは、第一フック部２と第二フック部３の内周側に形成されているが、外周側に形成してもよい。また、内周や外周に複数の薄状部２ａ、３ａを形成してもよい。
【００２９】
次に、本考案のカーテン用補助フック１の使用方法を図５および図６に基づいて説明する。なお、図５および図６は、第二フック部３の内周に薄状部３ａを形成したカーテン用補助フック１を使用したときのカーテン２０に荷重を掛けた状態を示す。
【００３０】
第一フック部２がカーテンランナー１１または固定フック７のリング１２に、第二フック部３がカーテンフック２１のフック部２２にそれぞれ掛けられている状態で、カーテン２０に荷重を加えると、図５に示すように、第二フック部３の薄状部３ａが矢印方向へ弾性変形する。
【００３１】
さらに荷重を加えると、第二フック部３の薄状部３ａがより弾性変形し、図６に示すように、カーテンフック２１がカーテン用補助フック１から分離してカーテン２０が落下する。カーテン２０の落下後は、第二フック部３は矢印方向に弾性的に後戻りして元の形状が維持される。
【符号の説明】
【００３２】
１    カーテン用補助フック
２    第一フック部
２ａ  薄状部
３    第二フック部
３ａ  薄状部
４    先端部
５    先端部
６    開口部
７    固定フック
１０  カーテンレール
１１  カーテンランナー
１２  リング
１３  キャップストップ
２０  カーテン
２１  カーテンフック
２２  フック部
【図１】
0003206469.tif 000003
【図２】
0003206469.tif 000004
【図３】
0003206469.tif 000005
【図４】
0003206469.tif 000006
【図５】
0003206469.tif 000007
【図６】
0003206469.tif 000008
【図７】
0003206469.tif 000009
【図８】
0003206469.tif 000010
【図９】
0003206469.tif 000011